(57)【特許請求の範囲】
【請求項１】
表示部と、
前記表示部と重なるように配置されるとともに、係合突出部を含む第１フレームと、
導光板および光源が配置され、前記第１フレームの前記係合突出部と係合する係合穴部を含む第２フレームとを備え、
前記第１フレームの前記係合突出部は、
前記第１フレームの外縁部から外側に向かう第１方向に突出するとともに、前記第１フレームが前記第２フレームに対して離間する第２方向に移動するのを規制するように前記係合穴部に係合する第１係合部分と、
前記第１フレームが前記第２フレームに対して取り付けられる第３方向に突出するとともに、前記第１フレームが前記第２フレームに対して前記第１方向とは反対の第４方向に移動するのを規制するように前記係合穴部に係合する第２係合部分とを含み、
前記第２フレームは、前記第１係合部分と対向し、前記係合穴部によって形成される第１側面と、前記第２係合部分に対して前記第４方向に所定の間隔を隔てて対向し、前記係合穴部によって形成される第２側面とを有し、前記所定の間隔は、前記第１係合部分の第１方向端部と前記第１側面の第４方向端部との間の距離よりも短い、表示装置。
【請求項２】
前記第１フレームの前記係合突出部は、前記第１方向とは反対の前記第４方向に突出するとともに、前記第１フレームが前記第２フレームに対して前記第３方向に移動するのを規制するように前記係合穴部に係合する第３係合部分をさらに含み、
前記第３係合部分の前記第４方向の幅は、前記第２フレームの前記係合穴部近傍の底部の厚みよりも大きい、請求項１に記載の表示装置。
【請求項３】
前記第１フレームの前記係合突出部の前記第３係合部分が前記第２フレームの前記係合穴部近傍の内底面に係合することにより、前記第１フレームが前記第３方向に移動するのを規制するように構成されている、請求項２に記載の表示装置。
【請求項４】
前記第２係合部分が前記第２側面と係合することにより、前記第１フレームが前記第２フレームに対して前記第４方向に移動するのを規制するように構成されている、請求項１〜３のいずれか１項に記載の表示装置。
【請求項５】
前記第１フレームの前記係合突出部は、前記第１フレームが前記第２フレームに対して前記第１方向、前記第２方向、前記第３方向および前記第４方向に略直交する第５方向に移動するのを規制するように前記係合穴部に係合する第４係合部分をさらに含む、請求項４に記載の表示装置。
【請求項６】
前記係合突出部は、前記係合突出部の前記第２フレームの側部と対向する部分に形成されている凹部を含む、請求項１〜５のいずれか１項に記載の表示装置。
【請求項７】
表示部と、
前記表示部と重なるように配置されるとともに、係合突出部を含む第１フレームと、
導光板および光源が配置され、前記第１フレームの前記係合突出部と係合する係合穴部を含む第２フレームとを備え、
前記第１フレームの前記係合突出部は、
前記第１フレームの外縁部から外側に向かう第１方向に突出するとともに、前記第１フレームが前記第２フレームに対して離間する第２方向に移動するのを規制するように前記係合穴部に係合する第１係合部分と、
前記第１フレームが前記第２フレームに対して取り付けられる第３方向に突出するとともに、前記第１フレームが前記第２フレームに対して前記第１方向とは反対の第４方向に移動するのを規制するように前記係合穴部に係合する第２係合部分とを含み、前記第２フレームは、前記第１係合部分と対向し、前記係合穴部によって形成される第１側面と、前記第２係合部分に対して前記第４方向に所定の間隔を隔てて対向し、前記係合穴部によって形成される第２側面とを有し、前記所定の間隔は、前記第１係合部分の第１方向端部と前記第１側面の第４方向端部との間の距離よりも短い、表示モジュール。
【発明の詳細な説明】
【技術分野】
【０００１】
この発明は、表示装置および表示モジュールに関し、特に、係合突出部を含むフレームと、係合突出部と係合する係合穴部を含むフレームとを備える表示装置および表示モジュールに関する。
【背景技術】
【０００２】
従来、係合突出部を含むフレームと、係合突出部と係合する係合穴部を含むフレームとを備える表示装置が知られている（たとえば、特許文献１参照）。
【０００３】
上記特許文献１には、係合突出部を含む枠状のカバー（フレーム）と、係合穴部を含む板状のプレート（フレーム）と、カバーとプレートとの間に挟まれるように配置される液晶装置とを備える電気光学装置用実装ケース（表示装置）が開示されている。また、カバーの係合突出部は、カバーの側面から外側（側方）に突出するように形成されている。また、プレートの外縁部には、壁部が形成されており、係合穴部は、壁部に形成されている。そして、カバーの係合突出部とプレートの係合穴部とを係合することにより、カバーがプレートに取り付けられる。また、カバーの係合突出部の上方向の移動が係合穴部によって規制されることにより、カバーがプレートに対して離間する方向（上方向）に移動するのが規制される。
【先行技術文献】
【特許文献】
【０００４】
【特許文献１】特開２００８−１２２８２２号公報
【発明の概要】
【発明が解決しようとする課題】
【０００５】
しかしながら、上記特許文献１に記載の電気光学装置用実装ケースでは、カバーの係合突出部とプレートの係合穴部とが係合した状態において、カバーがプレートに対して上方向（離間する方向）に移動するのを規制することが可能である一方、カバーが係合突出部の突出方向とは反対方向に移動した場合には、カバーの係合突出部がプレートの係合穴部から外れてしまうため、カバーの係合突出部とプレートの係合穴部との係合状態が解除されてしまうという不都合がある。このため、係合突出部が形成されたカバーが係合突出部の突出方向とは反対方向に移動した場合に、係合突出部が形成されたカバー（フレーム）と係合穴部が形成されたプレート（フレーム）との係合状態を維持することが困難であるという問題点がある。
【０００６】
この発明は、上記のような課題を解決するためになされたものであり、この発明の１つの目的は、係合突出部が形成されたカバーが係合突出部の突出方向とは反対方向に移動した場合に、係合突出部が形成されたフレームと係合穴部が形成されたフレームとの係合状態を維持することが可能な表示装置および表示モジュールを提供することである。
【課題を解決するための手段および発明の効果】
【０００７】
この発明の第１の局面による表示装置は、表示部と、表示部と重なるように配置されるとともに、係合突出部を含む第１フレームと、導光板および光源が配置され、第１フレームの係合突出部と係合する係合穴部を含む第２フレームとを備え、第１フレームの係合突出部は、第１フレームの外縁部から外側に向かう第１方向に突出するとともに、第１フレームが第２フレームに対して離間する第２方向に移動するのを規制するように係合穴部に係合する第１係合部分と、第１フレームが第２フレームに対して取り付けられる第３方向に突出するとともに、第１フレームが第２フレームに対して第１方向とは反対の第４方向に移動するのを規制するように係合穴部に係合する第２係合部分とを含み、第２フレームは、第１係合部分と対向し、係合穴部によって形成される第１側面と、第２係合部分に対して第４方向に所定の間隔を隔てて対向し、係合穴部によって形成される第２側面とを有し、所定の間隔は、第１係合部分の第１方向端部と第１側面の第４方向端部との間の距離よりも短い。
【０００８】
この第１の局面による表示装置では、上記のように、第１フレームの係合突出部が、第１フレームが第２フレームに対して第１方向とは反対の第４方向に移動するのを規制するように係合穴部に係合する第２係合部分を含むことによって、係合突出部が形成された第１フレームが係合穴部が形成された第２フレームに対して係合突出部が突出する第１方向（外縁部から外側に向かう方向）とは反対の第４方向（第２フレームの内側の方向）に移動した場合に、係合突出部と係合穴部との係合状態が解除されるのを第２係合部分により抑制することができるので、係合突出部が形成された第１フレームと係合穴部が形成された第２フレームとの係合状態を維持することができる。また、第１フレームの係合突出部が、第１フレームの外縁部から外側に向かう第１方向に突出するとともに、第１フレームが第２フレームに対して離間する第２方向に移動するのを規制するように係合穴部に係合する第１係合部分を含むことによって、係合突出部が形成された第１フレームが係合穴部が形成された第２フレームに対して離間する第２方向に移動した場合に、係合突出部と係合穴部との係合状態が解除されるのを第１係合部分により抑制することができるので、係合突出部が形成された第１フレームと係合穴部が形成された第２フレームとの係合状態を維持することができる。その結果、第１フレームの係合突出部の第２係合部分および第１係合部分の２つの係合部分によって、第１フレームが第２フレームに対して第４方向および第２方向の２つの方向に移動するのを規制することができるので、係合突出部が形成された第１フレームと係合穴部が形成された第２フレームとの係合状態を確実に維持することができる。
また、たとえば、表示装置を使用する際に発生する熱などに起因して、第１フレームまたは第２フレームが熱膨張した場合にも、所定の間隔を隔てて配置されているので、第１フレームと第２フレームとが互いに当接して熱応力により歪んでしまうのを抑制することができる。
【０００９】
上記第１の局面による表示装置において、好ましくは、第１フレームの係合突出部は、第１フレームの外縁部から第４方向に突出するとともに、第１フレームが第２フレームに対して第３方向に移動するのを規制するように係合穴部に係合する第３係合部分をさらに含み、第３係合部分の第４方向の幅は、第２フレームの係合穴部近傍の底部の厚みよりも大きい。このように構成すれば、第３係合部分の第４方向の幅が第２フレームの係合穴部近傍の底部の厚みよりも小さい場合と比べて、第１フレームが第２フレームに対して第３方向に移動するのをより確実に規制することができる。
【００１０】
この場合、好ましくは、第１フレームの係合突出部の第３係合部分が第２フレームの係合穴部近傍の内底面に係合することにより、第１フレームが第３方向に移動するのを規制するように構成されている。このように構成すれば、第１フレームの係合突出部が第２フレームの係合穴部から第３方向に外れてしまうのを抑制することができるので、これによっても、係合突出部が形成された第１フレームと係合穴部が形成された第２フレームとの係合状態を維持することができる。
【００１２】
上記第１の局面による表示装置において、好ましくは、第２係合部分が第２側面と係合することにより、第１フレームが第２フレームに対して第４方向に移動するのを規制するように構成されている。このように構成すれば、第１フレームの係合突出部が第２フレームの係合穴部から第４方向に外れてしまうのを抑制することができるので、係合突出部が形成された第１フレームと係合穴部が形成された第２フレームとの係合状態を維持することができる。
【００１３】
この場合、好ましくは、第１フレームの係合突出部は、第１フレームが第２フレームに対して第１方向、第２方向、第３方向および第４方向に略直交する第５方向に移動するのを規制するように係合穴部に係合する第４係合部分をさらに含む。このように構成すれば、第１フレームの係合突出部が第２フレームの係合穴部から第５方向に外れてしまうのを抑制することができるので、第５方向においても、係合突出部が形成された第１フレームと係合穴部が形成された第２フレームとの係合状態を維持することができる。
また、係合突出部は、係合突出部の第２フレームの側部と対向する部分に形成されている凹部を含む。
【００１４】
この発明の第２の局面による表示モジュールは、表示部と、表示部と重なるように配置されるとともに、係合突出部を含む第１フレームと、導光板および光源が配置され、第１フレームの係合突出部と係合する係合穴部を含む第２フレームとを備え、第１フレームの係合突出部は、第１フレームの外縁部から外側に向かう第１方向に突出するとともに、第１フレームが第２フレームに対して離間する第２方向に移動するのを規制するように係合穴部に係合する第１係合部分と、第１フレームが第２フレームに対して取り付けられる第３方向に突出するとともに、第１フレームが第２フレームに対して第１方向とは反対の第４方向に移動するのを規制するように係合穴部に係合する第２係合部分とを含み、第２フレームは、第１係合部分と対向し、係合穴部によって形成される第１側面と、第２係合部分に対して第４方向に所定の間隔を隔てて対向し、係合穴部によって形成される第２側面とを有し、所定の間隔は、第１係合部分の第１方向端部と第１側面の第４方向端部との間の距離よりも短い。
【００１５】
この第２の局面による表示モジュールでは、上記のように、第１フレームの係合突出部が、第１フレームが第２フレームに対して第１方向とは反対の第４方向に移動するのを規制するように係合穴部に係合する第２係合部分を含むことによって、係合突出部が形成された第１フレームが係合穴部が形成された第２フレームに対して係合突出部が突出する第１方向（外縁部から外側に向かう方向）とは反対の第４方向（第２フレームの内側の方向）に移動した場合に、係合突出部と係合穴部との係合状態が解除されるのを第２係合部分により抑制することができるので、係合突出部が形成された第１フレームと係合穴部が形成された第２フレームとの係合状態を維持することができる。また、第１フレームの係合突出部が、第１フレームの外縁部から外側に向かう第１方向に突出するとともに、第１フレームが第２フレームに対して離間する第２方向に移動するのを規制するように係合穴部に係合する第１係合部分を含むことによって、係合突出部が形成された第１フレームが係合穴部が形成された第２フレームに対して離間する第２方向に移動した場合に、係合突出部と係合穴部との係合状態が解除されるのを第１係合部分により抑制することができるので、係合突出部が形成された第１フレームと係合穴部が形成された第２フレームとの係合状態を維持することができる。その結果、第１フレームの係合突出部の第２係合部分および第１係合部分の２つの係合部分によって、第１フレームが第２フレームに対して第４方向および第２方向の２つの方向に移動するのを規制することができるので、係合突出部が形成された第１フレームと係合穴部が形成された第２フレームとの係合状態を確実に維持することができる。
【図面の簡単な説明】
【００１６】
【図１】本発明の一実施形態による液晶テレビジョン装置の全体図である。
【図２】本発明の一実施形態による液晶モジュールの分解斜視図である。
【図３】本発明の一実施形態によるリアフレームの平面図である。
【図４】本発明の一実施形態による樹脂フレームの平面図である。
【図５】本発明の一実施形態による樹脂フレームの係合突出部とリアフレームの係合穴部との係合前の図である。
【図６】本発明の一実施形態による樹脂フレームの係合突出部とリアフレームの係合穴部とが係合した後の図である。
【図７】本発明の一実施形態による樹脂フレームの係合突出部とリアフレームの係合穴部とが係合した後の断面図である。
【図８】本発明の一実施形態による樹脂フレームの係合突出部とリアフレームの係合穴部とが係合した後の状態をリアフレーム側から見た図である。
【図９】本発明の一実施形態による樹脂フレームの係合突出部とリアフレームの係合穴部とが係合した後の状態を側面から見た図である。
【発明を実施するための形態】
【００１７】
図１〜図６を参照して、本発明の一実施形態による液晶テレビジョン装置１００の構成について説明する。なお、液晶テレビジョン装置１００は、本発明の「表示装置」の一例である。
【００１８】
本発明の一実施形態による液晶テレビジョン装置１００は、図１に示すように、前側筐体１と、後側筐体２と、前側筐体１と後側筐体２との間に配置された液晶モジュール３と、液晶テレビジョン装置１００全体を支持する支持部材４と、支持部材４の下方に配置された台座部材５とを備えている。なお、液晶モジュール３は、本発明の「表示モジュール」の一例である。
【００１９】
また、図２に示すように、液晶モジュール３は、板金製のリアフレーム６を備えている。なお、リアフレーム６は、本発明の「第２フレーム」の一例である。また、図３に示すように、リアフレーム６の矢印Ｙ１方向の側面６ａには、それぞれ、穴部が設けられる７つの係合部６１が形成されている。また、リアフレーム６の矢印Ｘ１方向の側面６ａおよび矢印Ｘ２方向の側面６ａには、それぞれ、係合穴部６２が１つずつ形成されている。また、図５に示すように、リアフレーム６の係合穴部６２は、リアフレーム６の側面６ａと底面６ｂとの２つの面（矢印Ｘ１方向の側面６ａおよび矢印Ｚ２方向の底面６ｂ）にわたって形成されている。また、係合穴部６２は、正面側（矢印Ｘ２方向側）および底面側（矢印Ｚ１方向側）から見て、それぞれ、略矩形形状を有している。
【００２０】
また、図２に示すように、リアフレーム６の上方（矢印Ｚ１方向）には、光反射シート７が配置されている。また、光反射シート７の上方には、導光板８が配置されている。また、導光板８の側方（矢印Ｙ２方向）には、ＬＥＤなどを含む光源９が配置されている。また、導光板８の上方には、光拡散シート１０が配置されている。また、光拡散シート１０の上方には、プリズムシート１１が配置されている。
【００２１】
また、プリズムシート１１の上方には、枠状の樹脂フレーム１２が配置されている。なお、樹脂フレーム１２は、本発明の「第１フレーム」の一例である。また、樹脂フレーム１２の上方には、液晶パネル１３（液晶セル）が配置されている。なお、液晶パネル１３は、本発明の「表示部」の一例である。また、液晶パネル１３の上方には、枠状のベゼル１４が配置されている。また、ベゼル１４は、液晶パネル１３の外縁部１３ａを下方（矢印Ｚ２方向）に押さえ付けるように配置されている。
【００２２】
また、図４に示すように、樹脂フレーム１２の矢印Ｙ１方向側の外縁部１２ａには、上方から見て、樹脂フレーム１２の外縁部１２ａから外側（矢印Ｙ１方向）に突出するように、凸状の７つの係合突出部１２１が形成されている。また、７つの係合突出部１２１は、それぞれ、リアフレーム６の矢印Ｙ１方向側の７つの係合部６１と係合するように構成されている。
【００２３】
ここで、本実施形態では、樹脂フレーム１２の矢印Ｘ１方向の外縁部１２ａおよび矢印Ｘ２方向の外縁部１２ａには、それぞれ、上方から見て、樹脂フレーム１２の外縁部１２ａから外側に突出するように、係合突出部１２２が１つずつ形成されている。また、図５に示すように、係合突出部１２２は、リアフレーム６の係合穴部６２と係合可能に構成されている。また、図６に示すように、係合突出部１２２が形成された樹脂フレーム１２は、係合穴部６２が形成されたリアフレーム６の内側に嵌まり込むように配置されている。
【００２４】
また、樹脂フレーム１２の外縁部１２ａに形成された７つの係合突出部１２１および２つの係合突出部１２２が、リアフレーム６の側面６ａに形成された７つの係合部６１および２つの係合穴部６２に係合させることによって、樹脂フレーム１２とリアフレーム６とが互いに分離しないように構成されている。
【００２５】
次に、図７〜図９を参照して、樹脂フレーム１２の矢印Ｘ１方向の係合突出部１２２と、リアフレーム６の矢印Ｘ１方向の係合穴部６２とについて詳細に説明する。
【００２６】
本実施形態では、図７に示すように、樹脂フレーム１２の矢印Ｘ１方向の外縁部１２ａに形成された係合突出部１２２は、第１係合部分１２２ａと、第２係合部分１２２ｂと、第３係合部分１２２ｃと、第４係合部分１２２ｄと、傾斜部１２２ｅと、端面１２２ｆと、凹部１２２ｇとを含んでいる。
【００２７】
第１係合部分１２２ａは、矢印Ｘ１方向に突出するように形成されている。また、第１係合部分１２２ａは、樹脂フレーム１２がリアフレーム６に対して離間する矢印Ｚ１方向に移動するのを規制するように係合穴部６２の第１内側面６２ａに係合するように構成されている。また、係合突出部１２２と係合穴部６２とが係合している状態では、樹脂フレーム１２の係合突出部１２２の第１係合部分１２２ａと、リアフレーム６の係合穴部６２の矢印Ｚ１方向の第１内側面６２ａとは、間隔Ｄ１を隔てて対向するように配置されている。
【００２８】
また、第２係合部分１２２ｂは、図７および図８に示すように、矢印Ｚ２方向（樹脂フレーム１２をリアフレーム６に取り付ける方向）に突出するように形成されている。また、第２係合部分１２２ｂは、樹脂フレーム１２がリアフレーム６に対して矢印Ｘ２方向に移動するのを規制するように係合穴部６２の第２内側面６２ｂに係合するように構成されている。また、係合突出部１２２と係合穴部６２とが係合している状態では、樹脂フレーム１２の係合突出部１２２の第２係合部分１２２ｂと、樹脂フレーム１２の係合穴部６２の第２内側面６２ｂとは、間隔Ｄ２を隔てて対向するように配置されている。
【００２９】
また、第３係合部分１２２ｃは、図７に示すように、矢印Ｘ２方向に突出するように形成されている。また、第３係合部分１２２ｃは、樹脂フレーム１２がリアフレーム６に対して矢印Ｚ２方向に移動するのを規制するように係合穴部６２近傍の内底面６２ｃに係合するように構成されている。また、第３係合部分１２２ｃのＸ方向の幅Ｗ１は、リアフレーム６の第２内側面６２ｂ近傍の底部６３の厚みｔ１よりも大きい（Ｗ１＞ｔ１）。また、第３係合部分１２２ｃのＸ方向の幅Ｗ１は、リアフレーム６の第１内側面６２ａ近傍の側部６４の厚みｔ２よりも大きい（Ｗ１＞ｔ２）。また、係合突出部１２２と係合穴部６２とが係合している状態では、樹脂フレーム１２の係合突出部１２２の第３係合部分１２２ｃと、樹脂フレーム１２の係合穴部６２の内底面６２ｃとは、間隔Ｄ３を隔てて対向するように配置されている。また、樹脂フレーム１２の係合突出部１２２の矢印Ｘ２方向の端面１２２ｆと、光反射シート７、導光板８、光拡散シート１０およびプリズムシート１１の矢印Ｘ１方向の端面とは、間隔Ｄ４を隔てて配置されている。
【００３０】
また、図９に示すように、第４係合部分１２２ｄは、樹脂フレーム１２がリアフレーム６に対してＹ方向に移動するのを規制するように係合穴部６２の第４内側面６２ｄに係合するように構成されている。また、係合突出部１２２と係合穴部６２とが係合している状態では、樹脂フレーム１２の係合突出部１２２の第４係合部分１２２ｄと、リアフレーム６の係合穴部６２の第４内側面６２ｄとは、間隔Ｄ５を隔てて対向するように配置されている。
【００３１】
また、図７に示すように、リアフレーム６の内側面６５は、樹脂フレーム１２がリアフレーム６に対して矢印Ｘ１方向に移動するのを規制するように構成されている。また、係合突出部１２２と係合穴部６２とが係合している状態では、樹脂フレーム１２の外側面１２３と、リアフレーム６の内側面６５とは、間隔Ｄ６を隔てて対向するように配置されている。
【００３２】
また、傾斜部１２２ｅは、樹脂フレーム１２とリアフレーム６との取り付けを容易にするために設けられている。具体的には、樹脂フレーム１２の傾斜部１２２ｅをリアフレーム６に当接させた状態で樹脂フレーム１２をリアフレーム６に押し込むことにより、傾斜部１２２ｅをリアフレーム６に対して摺動させながら、樹脂フレーム１２がリアフレーム６に取り付けられる。また、凹部１２２ｇは、係合突出部１２２のリアフレーム６の側部６４と対向する部分に形成されている。この凹部１２２ｇは、樹脂フレーム６を樹脂成形する際に、冷却時において係合突出部１２２の一部分が収縮しすぎて凹んでしまうのを抑制するために形成されている。
【００３３】
なお、樹脂フレーム１２の矢印Ｘ２方向の係合突出部１２２と、リアフレーム６の矢印Ｘ２方向の係合穴部６２との係合状態についても、上記樹脂フレーム１２の矢印Ｘ１方向の係合突出部１２２と、リアフレーム６の矢印Ｘ１方向の係合穴部６２との係合状態と同様の構成である。
【００３４】
本実施形態では、上記のように、樹脂フレーム１２の係合突出部１２２が、樹脂フレーム１２がリアフレーム６に対して取り付けられる矢印Ｚ２方向に突出するとともに、樹脂フレーム１２がリアフレーム６に対して矢印Ｘ１方向とは反対の矢印Ｘ２方向に移動するのを規制するように係合穴部６２に係合する第２係合部分１２２ｂを含む。これにより、係合突出部１２２が形成された樹脂フレーム１２が係合穴部６２が形成されたリアフレーム６に対して係合突出部１２２が突出する矢印Ｘ１方向とは反対の矢印Ｘ２方向に移動した場合に、係合突出部１２２と係合穴部６２との係合状態が解除されるのを第２係合部分１２２ｂにより抑制することができるので、係合突出部１２２が形成された樹脂フレーム１２と係合穴部６２が形成されたリアフレーム６との矢印Ｘ２方向の係合状態を維持することができる。また、樹脂フレーム１２の係合突出部１２２が、樹脂フレーム１２の外縁部１２ａから外側に向かう矢印Ｘ１方向に突出するとともに、樹脂フレーム１２がリアフレーム６に対して離間する矢印Ｚ１方向に移動するのを規制するように係合穴部６２に係合する第１係合部分１２２ａを含むことによって、係合突出部１２２が形成された樹脂フレーム１２が係合穴部６２が形成されたリアフレーム６に対して離間する矢印Ｚ１方向に移動した場合に、係合突出部１２２と係合穴部６２との係合状態が解除されるのを第１係合部分１２２ａにより抑制することができるので、係合突出部１２２が形成された樹脂フレーム１２と係合穴部６２が形成されたリアフレーム６との係合状態を維持することができる。その結果、樹脂フレーム１２の係合突出部１２２の第２係合部分１２２ｂおよび第１係合部分１２２ａの２つの係合部分によって、樹脂フレーム１２がリアフレーム６に対して矢印Ｘ２方向および矢印Ｚ１方向の２つの方向に移動するのを規制することができるので、係合突出部１２２が形成された樹脂フレーム１２と係合穴部６２が形成されたリアフレーム６との係合状態を確実に維持することができる。
【００３５】
また、本実施形態では、上記のように、第３係合部分１２２ｃの矢印Ｘ２方向の幅Ｗ１をリアフレーム６の係合穴部６２近傍の底部６３の厚みｔ１よりも大きくすることによって、第３係合部分１２２ｃの矢印Ｘ２方向の幅Ｗ１がリアフレーム６の係合穴部６２近傍の底部６３の厚みよりも小さい場合と比べて、樹脂フレーム１２がリアフレーム６に対して矢印Ｚ２方向に移動するのをより確実に規制することができる。
【００３６】
また、本実施形態では、上記のように、樹脂フレーム１２の係合突出部１２２の第３係合部分１２２ｃがリアフレーム６の係合穴部６２近傍の内底面６２ｃに係合することにより、樹脂フレーム１２が矢印Ｚ２方向に移動するのを規制するように構成することによって、樹脂フレーム１２の係合突出部１２２がリアフレーム６の係合穴部６２から矢印Ｚ２方向に外れてしまうのを抑制することができるので、これによっても、係合突出部１２２が形成された樹脂フレーム１２と係合穴部６２が形成されたリアフレーム６との矢印Ｚ２方向の係合状態を維持することができる。
【００３７】
また、本実施形態では、上記のように、樹脂フレーム１２の係合突出部１２２の第２係合部分１２２ｂと、リアフレーム６の係合穴部６２の矢印Ｘ２方向の第２内側面６２ｂとを、所定の間隔を隔てて対向するように配置することによって、たとえば、液晶テレビジョン装置１００を使用する際に発生する熱などに起因して、樹脂フレーム１２またはリアフレーム６が熱膨張した場合に、所定の間隔を隔てて配置されているので、樹脂フレーム１２とリアフレーム６とが互いに当接して熱応力により歪んでしまうのを抑制することができる。
【００３８】
また、本実施形態では、上記のように、樹脂フレーム１２の係合突出部１２２の第２係合部分１２２ｂがリアフレーム６の底部６３に形成された係合穴部６２の矢印Ｘ２方向の第２内側面６２ｂと係合することにより、樹脂フレーム１２がリアフレーム６に対して矢印Ｘ２方向に移動するのを規制するように構成することによって、樹脂フレーム１２の係合突出部１２２がリアフレーム６の係合穴部６２から矢印Ｘ２方向に外れてしまうのを抑制することができるので、係合突出部１２２が形成された樹脂フレーム１２と係合穴部６２が形成されたリアフレーム６との矢印Ｘ２方向の係合状態を維持することができる。
【００３９】
また、本実施形態では、上記のように、樹脂フレーム１２の係合突出部１２２が、樹脂フレーム１２がリアフレーム６に対して矢印Ｘ１方向、矢印Ｚ１方向、矢印Ｚ２方向および矢印Ｘ２方向に略直交するＹ方向に移動するのを規制するように係合穴部６２に係合する第４係合部分１２２ｄをさらに含むことによって、樹脂フレーム１２の係合突出部１２２がリアフレーム６の係合穴部６２からＹ方向に外れてしまうのを抑制することができるので、Ｙ方向においても、係合突出部１２２が形成された樹脂フレーム１２と係合穴部６２が形成されたリアフレーム６とのＹ方向の係合状態を維持することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、表示装置の一例として液晶テレビジョン装置に本発明を適用する例を示したが、本発明はこれに限られない。たとえば、液晶テレビジョン装置以外の表示装置に本発明を適用可能である。
【００４２】
また、上記実施形態では、本発明の表示モジュールの一例として、液晶モジュールを示したが、本発明はこれに限られない。たとえば、液晶モジュール以外の表示モジュールに本発明を適用可能である。
【００４３】
また、上記実施形態では、樹脂フレームに係合突出部を形成するとともに、リアフレームに係合穴部を形成する例を示したが、本発明はこれに限られない。たとえば、樹脂フレームに係合穴部を形成するとともに、リアフレームに係合突出部を形成してもよい。
【００４４】
また、上記実施形態では、本発明の第１フレームを樹脂フレームにするとともに、第２フレームを板金製のリアフレームにする例を示したが、本発明はこれに限られない。たとえば、第１フレームを板金製にするとともに、第２フレームを樹脂製にしてもよい。また、第１フレームおよび第２フレームの両方を樹脂製にしてもよいし、第１フレームおよび第２フレームの両方を板金製にしてもよい。
【００４５】
また、上記実施形態では、係合突出部の第１〜第４係合部分と、係合穴部の内側面とを所定の間隔を隔てて対向するように配置させる例を示したが、本発明はこれに限られない。たとえば、係合突出部の第１〜第４係合部分と、係合穴部の内側面との間に隙間（所定の間隔）がなくてもよい。
【符号の説明】
【００４６】
３  液晶モジュール（表示モジュール）
６  リアフレーム（第２フレーム）
８  導光板
９  光源
１２  樹脂フレーム（第１フレーム）
１３  液晶パネル（表示部）
６２  係合穴部
１２２  係合突出部
１２２ａ  第１係合部分
１２２ｂ  第２係合部分
１２２ｃ  第３係合部分
１２２ｄ  第４係合部分
【図１】
0005678760.tif 000002
【図２】
0005678760.tif 000003
【図３】
0005678760.tif 000004
【図４】
0005678760.tif 000005
【図５】
0005678760.tif 000006
【図６】
0005678760.tif 000007
【図７】
0005678760.tif 000008
【図８】
0005678760.tif 000009
【図９】
0005678760.tif 000010